(57)【特許請求の範囲】
【請求項１】
ポンプ（２）及びエンジン（３）が搭載されるポンプ部及び薬槽（５）を背負枠（１）に搭載する背負式防除機において、該薬槽（５）の背負枠（１）に対する固定位置を、上下調節可能としたことを特徴とする背負式防除機。
【請求項２】
請求項１記載の背負式防除機において、該背負枠（１）に取り付けられる背負ベルト（９）の上部取付位置を、上下調節可能としたことを特徴とする背負式防除機。
【請求項３】
請求項２記載の背負式防除機において、前記背負ベルト（９）のクッション部である肩当パッド（９ｂ）の幅寸法を、上部から下部へいくに従って狭くなるように形成し、該背負ベルト（９）の下部を外側へ湾出させ、該背負ベルト（９）のクッション部である肩当パッド（９ｂ）をベルト本体（９a ）に全面的に縫製したことを特徴とする背負式防除機。
【請求項４】
請求項１記載の背負式防除機において、前記背負枠（１）の背面（１ａ）に装着される背当クッション（８）を、上部及び下部の二箇所でそれぞれ上下に分割し、上下中央に位置する中央クッション部（１３ｂ）を左右に分割したことを特徴とする背負式防除機。
【請求項５】
請求項１記載の背負式防除機において、前記背負枠（１）の背面（１ａ）形状を、上部よりも下部が突出した形状に形成したことを特徴とする背負式防除機。
【請求項６】
請求項１記載の背負式防除機において、前記背負枠（１）の背面（１ａ）形状を、左右両端部よりも中央部が内側に湾曲した形状に形成し、該背面（１ａ）の湾曲度合いを上部から下部へ行くに従って大きくしたことを特徴とする背負式防除機。
【請求項７】
請求項１記載の背負式防除機において、前記薬槽（５）内に、薬槽（５）内の空間を分割する仕切板（３０）を挿脱自在に挿入可能とし、該薬槽（５）の内壁面に仕切板（３０）を位置固定するための溝（３２）部を形成したことを特徴とする背負式防除機。
【請求項８】
請求項１記載の背負式防除機において、前記ポンプ（２）及びエンジン（３）が搭載されるポンプ部、及び背負式防除機の操作部（４）を、該薬槽（５）の左右幅内に収めて配置したことを特徴とする背負式防除機。
【発明の詳細な説明】
【０００１】
【発明の属する技術分野】
本発明は、背負式防除機に関し、特に該背負式防除機の取り扱いを容易にし、使用感を向上させるための構成に関する。
【０００２】
【従来の技術】
従来から、ポンプ及びエンジン等のポンプ駆動源にて構成されるポンプ部や、薬液が貯溜される薬槽を背負枠に搭載した背負式防除機が知られている。このような背負式防除機は、作業者が背負って圃場を歩行移動しながら防除作業を行うものであるため、背負枠には背負ベルトが連結され、さらには作業者の背中にあたる背負枠の背面には背当クッションが取り付けられていた。
【０００３】
【発明が解決しようとする課題】
前述の如く、背負枠に連結される背負ベルトは、芯となるベルト本体にクッション部材を挿通したり縫製したりして構成されており、重量物であるポンプ部等で構成される背負式防除機を背負った際の、背負ベルトの肩や脇への食い込みを緩和している。しかし、クッション部材は背負ベルトの上部から下部にかけての幅寸法が一定であるため、背負式防除機を背負った場合肩や脇にかかる荷重が良好に分散されずに肩等への食い込みの緩和度合いが低く、さらにクッション部材を挿通した仕様の場合には該クッション部材の位置がずれて背負ベルトが食い込むため、背負感が悪かった。また、背負枠の上部に取り付けられる背負ベルトの上端部は、その取り付け位置を変更できないため、作業者の身長等の体格に応じて背負ベルトの長さを調節するように構成されていたが、背負枠下部の体に接する位置が身長によって変化し、作業者によっては背負感が悪い場合があった。
【０００４】
また、背負枠の背面に取り付けられる背当クッションは、上下二分割されたり、上下方向に複数の溝が形成されたりしていたが、該背当クッションが背中に対して部分的に強く当ったり、背当クッションと背中との間の通気性が悪くて背中に汗をかいたりするため背負感が悪かった。さらに、背負枠の背面形状は平面的であったので、荷重が局所的にかかったり、背負位置がずれたり、ポンプやエンジン等の振動が体に伝わったりして疲労が大きくなる傾向にあった。
【０００５】
また、従来の背負式防除機では薬槽と背負枠とを一体成形したものがあったが、薬槽と背負枠とを一体成形した構成では、エンジンやポンプの大きさに変更があった場合には、薬槽及び背負枠の仕様を全体的に変更する必要があり、多仕様化に対応できず、コスト高となってしまっていた。
【０００６】
また、薬槽内に薬液を貯溜した状態で背負式防除機を背負って歩行移動すると、薬槽内で薬液の波打ちが発生し該背負式防除機の重心が移動するためにふらついて背負感が悪くなる。このようにな薬液の波打ちを減少させるために、薬槽内に仕切板を設けたものがあるが、該仕切板はネジ等で薬槽に固定されていたので取り外しが困難であり薬槽内の清掃に手間がかかり煩雑であった。
【０００７】
また、背負枠には、上部に薬槽を搭載し、下部にポンプ及びエンジンを搭載して、操作部を側部に設けていたが、ポンプや操作部が薬槽よりも側方に突出していたので、これらの部分が作物等に引っ掛かることにより、作物等を傷付くけることがあった。
【０００８】
【課題を解決するための手段】
本発明の解決しようとする課題は以上の如くであり、次に該課題を解決するための手段を説明する。
【０００９】
請求項１においては、ポンプ（２）及びエンジン（３）が搭載されるポンプ部及び薬槽（５）を背負枠（１）に搭載する背負式防除機において、該薬槽（５）の背負枠（１）に対する固定位置を、上下調節可能としたものである。
【００１０】
請求項２においては、請求項１記載の背負式防除機において、前記背負枠（１）に取り付けられる背負ベルト（９）の上部取付位置を、上下調節可能としたものである。
【００１１】
請求項３においては、請求項２記載の背負式防除機において、前記背負ベルト（９）のクッション部である肩当パッド（９ｂ）の幅寸法を、上部から下部へいくに従って狭くなるように形成し、該背負ベルト（９）の下部を外側へ湾出させ、該背負ベルト（９）のクッション部である肩当パッド（９ｂ）をベルト本体（９a ）に全面的に縫製したものである。
【００１２】
請求項４においては、請求項１記載の背負式防除機において、前記背負枠（１）の背面（１ａ）に装着される背当クッション（８）を、上部及び下部の二箇所でそれぞれ上下に分割し、上下中央に位置する中央クッション部（１３ｂ）を左右に分割したものである。
【００１３】
請求項５においては、請求項１記載の背負式防除機において、前記背負枠（１）の背面（１ａ）形状を、上部よりも下部が突出した形状に形成したものである。
【００１４】
請求項６においては、請求項１記載の背負式防除機において、前記背負枠（１）の背面（１ａ）形状を、左右両端部よりも中央部が内側に湾曲した形状に形成し、該背面（１ａ）の湾曲度合いを上部から下部へ行くに従って大きくしたものである。
【００１５】
請求項７においては、請求項１記載の背負式防除機において、前記薬槽（５）内に、薬槽（５）内の空間を分割する仕切板（３０）を挿脱自在に挿入可能とし、該薬槽（５）の内壁面に仕切板（３０）を位置固定するための溝（３２）部を形成したものである。
【００１６】
請求項８においては、請求項１記載の背負式防除機において、前記ポンプ（２）及びエンジン（３）が搭載されるポンプ部、及び背負式防除機の操作部（４）を、該薬槽（５）の左右幅内に収めて配置したものである。
【発明の実施の形態】
次に本発明の実施の形態を説明する。図１は本発明の背負式防除機を示す正面図、図２は同じく側面図、図３は背負枠を示す正面図、図４は同じく側面断面図、図５は背負ベルトを示す正面図、図６は同じく側面図、図７は同じく平面断面図、図８は背負枠へ取り付けた状態の背負ベルトを示す図、図９は図４におけるＡ−Ａ断面からＨ−Ｈ断面をそれぞれ示す図、図１０は背当クッションを示す正面図、図１１は側面断面図、図１２は薬槽を示す正面図、図１３は同じく平面図、図１４は同じく側面断面図、図１５は薬槽の背負枠への取付部を示す側面断面図、図１６は仕切板を装着した状態の薬槽を示す正面図、図１７は同じく側面断面図である。
【００１７】
まず、本発明に係わる背負式防除機の概略構成について説明する。図１乃至図４に示すように、背負式防除機の背負枠１は側面視略Ｌ字状に形成されており、該背負枠１の下部にポンプ２及び該ポンプ２の駆動源であるエンジン３が搭載されている。該ポンプ２及びエンジン３の上方には、薬液が貯溜される薬槽５が搭載されている。ポンプ２はエンジン３により駆動され、該ポンプ２によって薬槽５内の薬液を加圧し、ホース７を通じてノズル６から吐出するように構成している。
【００１８】
ポンプ２及びエンジン３が搭載されるポンプ部の左右一側方には、アクセルレバー１２等で構成される操作部４が配置されている。該操作部４にて、エンジン３及びポンプ２の駆動・操作等の各種操作が行われる。操作部４、ポンプ２、及びエンジン３は、該操作部４及びポンプ部の左右幅Ｗｐが、薬槽５の左右幅Ｗｔの範囲内に収まるように配置されており、防除作業中に操作部４やポンプ２やエンジン３等が作物等に接触したり引っ掛かったりして、作物等を傷つけることを防止している。
【００１９】
背負枠１における垂直部分の背面（ポンプ２や薬槽５が搭載される側と反対側の面）１ａには背当クッション８が装着され、ポンプ２やエンジン３からの振動を遮断して、背負式防除機を背負う作業者にかかる負担を緩和するようにしている。また、背負枠１には、左右一対の背負ベルト９が取り付けられており、該背負ベルト９の上端部は背負枠１の上端部に連結され、下端部は背負枠１下端部に形成される取付具１ｂに連結されている。背負枠１の上端部にはベルト取付部１１が構成され、上部取付部１１ａと下部取付部１１ｂとが上下二段に配置されている。前記背負ベルト９の上端部は、上段取付部１１ａ又は下段取付部１１ｂの何れか一方に連結することができる。
【００２０】
図５乃至図７に示すように、背負ベルト９は、芯となる長尺のベルト本体９ａに、クッション部材で構成される肩当パッド９ｂを縫製して構成されており、重量物である背負式防除機を背負った際の、ベルト本体９ａの肩や脇腹等への食い込みを、該肩当パッド９ｂにより緩和するようにしている。ベルト本体９ａの上端部には、背負枠１のベルト取付部１１に連結される上部連結部９ｃが形成され、該ベルト本体９ａの下端部には、背負枠１の取付具１ｂに連結されるフック９ｄが取り付けられている。また、ベルト本体９ａの肩当パッド９ｂよりも下方の部分には、該ベルト本体９ａの長さ調節を行う長さ調節金具９ｅが取り付けられている。
【００２１】
肩当パッド９ｂとベルト本体９ａとは、該ベルト本体９ａ左右端部の縫製部Ｓにて縫製されており、該縫製部Ｓは肩当パッド９ｂの上端部から下端部までに渡っている。このように、肩当パッド９ｂとベルト本体９ａと全面的に縫製することで、両者の接合強度を高くし、背負式防除機を背負った際に肩当パッド９ｂの位置ずれや捩じれの発生を防止して、背負感の向上を図っている。
【００２２】
また、肩当パッド９ｂは、上端部の左右幅Ｗ１を下端部の左右幅Ｗ２よりも広く形成し、上端部から下端部へいくに従って、左右幅が除々に狭くなるようにしている。このように、背負式防除機を背負った際に、肩に当る上端部の左右幅を広く、脇腹部分に当る下部の左右幅を狭く形成し、その幅広さを除々に変化させることで、背負ベルト９を通して体にかかる荷重を略均一に分散させることができる。さらに、背負ベルト９は、図８に示すように、背負枠１に取り付けた際に、その下部が外側へ湾出するような形状に形成されており、背負式防除機を背負った際に、該背負ベルト９により手の動きが阻害されることを防いで、自由な姿勢で作業を行うことを可能としている。
【００２３】
また、背負ベルト９の背負枠１への連結位置を変化させない場合には、作業者の身長等の体格が異なると、背負ベルト９の長さを長さ調節金具９ｅにより調節したとしても、体に接する背負枠１の位置がそれぞれ変化する。しかし、本背負ベルト９は、ベルト取付部１１の上部取付部１１ａ又は下部取付部１１ｂのどちらかを選択して背負枠１に連結し、上下の連結位置を調節することが可能であるので、作業者の体格が異なっても体に接する背負枠１の位置を一定にすることができ、全ての作業者が良好な背負感を得ることが可能となる。
【００２４】
前記背負枠１の背面１ａは、薬槽５が搭載されている上部よりも、ポンプ２等が搭載されている下部の方が作業者の背中側（図２、図４における左側）に突出した形状に形成されており、上部から下部の形状の変化は滑らかである。また、背負枠１の背面１ａの平面視における形状は、左右両端部よりも中央部が内側（薬槽５等が搭載される側）に湾曲した形状に形成しており、該背面１ａの湾曲度合いは、上部から下部へ行くに従って大きくなっている。
【００２５】
即ち、図９には、背負枠１における背面１ａの上部から下部に渡る平面視形状を示している（Ａ断面が最も上部の断面を、Ｈ断面が最も下部の断面を示している）が、Ａ断面では略平らな形状となっており、Ａ断面より下方に位置する断面は中央部が内側に湾曲した形状となっている。そして、Ｂ断面から下方へいくに従って、湾曲度合いは大きくなり、Ｈ断面の湾曲度合いが最も大きくなっている。
【００２６】
以上の如く、背負枠１の背面１ａは、上部よりも下部の方が作業者の背中側に突出した形状で、その形状の変化が滑らに形成されているため、該背面１ａの形状は作業者の背中の形状に似通った形状となっている。これにより、背負式防除機を背負った場合、背負枠１の背面１ａが作業者の背中にフィットし、背負式防除機の重量を背中全体で均一に分散して受けることができるため、背負感が向上するとともに、疲労を低減することが可能となる。
【００２７】
また、背面１ａの平面視における形状は、中央部が内側に湾曲し、その湾曲度合いが上部から下部へ行くに従って大きくなっているので、湾曲度合いが大きい背面１ａ下部の左右端部が、作業者の腰部の左右を包み込んでホールドし、作業途中における背負式防除機の左右へのずれを防止することができ、背負感の向上及び疲労の低減を図ることが可能となる。
【００２８】
次に、背負枠１の背面に装着される背当クッション８について説明する。図１０、図１１に示すように、背当クッション８は、板状に形成される基材１２上に、スポンジ状部材やゴム状部材等の弾性部材から成るクッション部１３を形成して構成されている。クッション部１３は、その上下部でそれぞれ分割線Ｌ１及び分割線Ｌ２により、上クッション部１３ａと中央クッション部１３ｂと下クッション部１３ｃとに分割され、該中央クッション部１３ｂは、左右略中央に配置される分割線Ｌ３により左右二分割されている。即ち、クッション部１３は、上部に位置する上クッション部１３ａ、中央部の左右にそれぞれ位置する中央クッション部１３ｂ・１３ｂ、及び下部に位置する下クッション部１３ｃに分割されている。
【００２９】
背当クッション８を背負枠１に装着した状態では、上クッション部１３ａは、平面視形状が略平らに形成され、作業者の肩部に当接する背面１ａの上部に位置し、下クッション部１３ｃは、作業者の腰部に当接する背面１ａの下部に位置し、分割線Ｌ３によって左右に分割される中央クッション部１３ｂ・１３ｂは、背面１ａにおける作業者の背中に当接する部分に位置することとなる。
【００３０】
これにより、作業者の肩部と腰部にかかる荷重は、左右に広く形成される上クッション部１３ａ及び下クッション部１３ｃで全体的に受けることができる。また、中央クッション部１３ｂと・中央クッション部１３ｂとの間には、深い溝形状に形成される分割線Ｌ３が介在しており、この分割線Ｌ３の部分に作業者の背骨が位置することとなるので、背骨部分に大きな荷重がかかることを防止でき、背負感を向上することができる。さらに、深い溝形状に形成される各分割線Ｌ１・Ｌ２・Ｌ３は互いに連結されているので、これらの分割線Ｌ１・Ｌ２・Ｌ３内を風が通過することができ、背負式防除機を背負った作業者の背中部分の通気性を良好にすることができ、背負感の向上を図ることができる。
【００３１】
次に、薬槽５の背負枠１への装着構造について説明する。図３、図１２乃至図１５に示すように、薬槽５における背負枠１への装着面には、装着用ボス部１５・１５・・・が形成されており、背負枠１には該装着用ボス部１５・１５・・・と対応する位置に第一装着用孔２１ａ・２１ａ・・・が形成されている。そして、薬槽５の各装着用ボス部１５に、背負枠１の第一装着用孔２１ａを介してボルト２６等の締結部材を締結することで、薬槽５を背負枠１に着脱自在に装着している。
【００３２】
また、背負枠１には、第一装着用孔２１ａ・２１ａ・・・と上下方向の位置をずらして、第二装着用孔２１ｂ・２１ｂ・・・が形成されており、薬槽５は、各装着用ボス部１５に該第二装着用孔２１ｂを介してボルト２６等の締結部材を締結して、背負枠１に装着することも可能である。即ち、薬槽５の背負枠１への装着は、第一装着用孔２１ａ・２１ａ・・・又は第二装着用孔２１ｂ・２１ｂ・・・の何れか一方を選択して行うことができ、これにより、薬槽５の上下方向の取付位置を調節することを可能としている。
【００３３】
このように、薬槽５の背負枠１への上下装着位置を調節可能とすることで、エンジン３やポンプ２の大きさに変更があった場合でも、薬槽５の装着位置を変更するだけで対応することができ、薬槽及び背負枠の仕様を変更する必要がなく、低コストで仕様変更を行うことができる。また、背負式防除機をコンパクトに構成することができ、背負感を向上させることが可能となる。
【００３４】
また、図１２乃至図１４に示すように、薬槽５内の下部における前壁面（図１４における右側の壁面）には前部ガイド部材５ｂ・５ｂが、後壁面（図１４における左側の壁面）には後部ガイド部材５ｃ・５ｃが、それぞれ一体的に形成されている。図１６、図１７に示すように、薬槽５内には、該薬槽５の上端部に開口する開口部５ｄから、平板状に形成される仕切板３０を挿脱自在に挿入可能としている。薬槽５内に挿入された仕切板３０は左右略中央に配置され、該仕切板３０の下部は、前部ガイド部材５ｂ・５ｂ間に形成される前下部位置決め溝３２、及び後部ガイド部材５ｃ・５ｃ間に形成される後下部位置決め溝３３に嵌入され、位置固定されている。
【００３５】
薬槽５の開口部５ｄには、下方にストレーナ３６が付設される蓋体３５が螺装されるが、該蓋体３５を薬槽５に螺装した状態では、ストレーナ３６の下面に形成される上部位置決め溝３６ａが、仕切板３０の上端部に嵌合して、該仕切板３０上部の位置決めを行うように構成されている。
【００３６】
このように、薬槽５内に仕切板３０を挿入することで、該薬槽５内の空間を分割することができ、薬槽５内に貯溜した薬液の波打ちを抑えることができる。これにより、薬槽５に薬液を貯溜した状態の背負式防除機を背負って歩行移動した場合でも、薬液の波打ちに起因する該背負式防除機の重心移動を抑えることができ、ふらつきを無くして背負感を向上させることができる。また、仕切板３０は、前記前下部位置決め溝３２、後下部位置決め溝３３、及び上部位置決め溝３６ａにより位置固定されているので、薬槽５内への装着及び取り外しを容易に行うことができ、薬槽５内の清掃作業を簡便することが可能となる。
【００３７】
【発明の効果】
本発明は以上の如く構成したので、次のような効果を奏するのである。
請求項１に記載の如く、ポンプ及びエンジンが搭載されるポンプ部、及び薬槽を背負枠に搭載する背負式防除機において、該薬槽の背負枠に対する固定位置を上下調節可能としたので、エンジンやポンプの大きさに変更があった場合でも、薬槽の装着位置を変更するだけで対応することができ、薬槽及び背負枠の仕様を変更する必要がなく、低コストで仕様変更を行うことができる。
また、背負式防除機をコンパクトに構成することができ、背負感を向上させることが可能となる。
【００３８】
請求項２に記載の如く、請求項１記載の背負式防除機において、前記背負枠に取り付けられる背負ベルトの上部取付位置を上下調節可能としたので、作業者の体格が異なっても、背負ベルトの上部取付位置を調節することで、体に接する背負枠の位置を一定にすることができ、全ての作業者が良好な背負感を得ることが可能となる。
【００４２】
請求項３に記載の如く、請求項２記載の背負式防除機において、前記背負枠に取り付けられる背負ベルトのクッション部の幅寸法を、上部から下部へいくに従って狭くなるように形成し、該背負ベルトの下部を外側へ湾出させ、該背負ベルトのクッション部をベルト本体に全面的に縫製したので、ベルト本体とクッション部との接合強度を高くし、背負式防除機を背負った際にクッション部の位置ずれや捩じれの発生を防止して、背負感の向上を図ることができる。
また、背負ベルトを通して体にかかる荷重を略均一に分散させることができ、さらに、背負ベルトにより手の動きが阻害されることを防いで、自由な姿勢で作業を行うことが可能となる。
【００３９】
請求項４に記載の如く、請求項１に記載の背負式防除機において、背負枠の背面に装着される背当クッションを、上部及び下部の二箇所でそれぞれ上下に分割し、上下中央に位置する中央部クッションを左右に分割したので、作業者の肩部と腰部にかかる荷重を、左右に広く形成される上部及び下部のクッションで全体的に受けることが可能となる。
また、溝状に形成される中央部クッションの分割部には作業者の背骨が位置することとなるので、背骨部分に大きな荷重がかかることを防止でき、背負感を向上することができる。
さらに、深い溝形状に形成される背当クッションの各分割部は互いに連結されているので、これらの分割部を風が通過することができ、背負式防除機を背負った作業者の背中部分の通気性を良好にすることができ、背負感の向上を図ることが可能となる。
【００４０】
請求項５に記載の如く、請求項１記載の背負式防除機において、前記背負枠の背面形状を、上部よりも下部が突出した形状に形成したので、背負式防除機を背負った場合、背負枠の背面が作業者の背中にフィットし、背負式防除機の重量を背中全体で均一に分散して受けることができるため、背負感が向上するとともに、疲労を低減することが可能となる。
【００４１】
請求項６に記載の如く、請求項１記載の背負式防除機において、前記背負枠の背面形状を、左右両端部よりも中央部が内側に湾曲した形状に形成し、該背面の湾曲度合いを上部から下部へ行くに従って大きくしたので、湾曲度合いが大きい背面下部の左右端部が、作業者の腰部の左右を包み込んでホールドし、作業途中における背負式防除機の左右へのずれを防止することができ、背負感の向上及び疲労の低減を図ることが可能となる。
【００４３】
請求項７に記載の如く、請求項１記載の背負式防除機において、前記薬槽内に、薬槽内の空間を分割する仕切板を挿脱自在に挿入可能とし、該薬槽の内壁面に仕切板を位置固定するための溝部を形成したので、薬槽内の空間を分割することができ、薬槽内に貯溜した薬液の波打ちを抑えることができる。
これにより、薬槽に薬液を貯溜した状態の背負式防除機を背負って歩行移動した場合でも、薬液の波打ちに起因する該背負式防除機の重心移動を抑えることができ、ふらつきを無くして背負感を向上させることができる。
また、仕切板は、薬槽に形成される溝部により位置固定されるので、薬槽内への装着及び取り外しを容易に行うことができ、薬槽内の清掃作業を簡便することが可能となる。
【００４４】
請求項８に記載の如く、請求項１記載の背負式防除機において、前記ポンプ及びエンジンが搭載されるポンプ部、及び背負式防除機の操作部を、該薬槽の左右幅内に収めて配置したので、防除作業中に操作部やポンプやエンジン等が作物等に接触したり引っ掛かったりして、作物等を傷つけることを防止することができる。
【図面の簡単な説明】
【図１】  本発明の背負式防除機を示す正面図である。
【図２】  同じく側面図である。
【図３】  背負枠を示す正面図である。
【図４】  同じく側面断面図である。
【図５】  背負ベルトを示す正面図である。
【図６】  同じく側面図である。
【図７】  同じく平面断面図である。
【図８】背負枠へ取り付けた状態の背負ベルトを示す図である。
【図９】  図４におけるＡ−Ａ断面からＨ−Ｈ断面をそれぞれ示す図である。
【図１０】  背当クッションを示す正面図である。
【図１１】  側面断面図である。
【図１２】  薬槽を示す正面図である。
【図１３】  同じく平面図である。
【図１４】  同じく側面断面図である。
【図１５】  薬槽の背負枠への取付部を示す側面断面図である。
【図１６】  仕切板を装着した状態の薬槽を示す正面図である。
【図１７】  同じく側面断面図である。
【符号の説明】
１  背負枠
１ａ  背面
２  ポンプ
３  エンジン
４  操作部
５  薬槽
８  背当クッション
９  背負ベルト
１１  ベルト取付部
３０  仕切板
【図１】
0004540190.tif 000002
【図２】
0004540190.tif 000003
【図３】
0004540190.tif 000004
【図４】
0004540190.tif 000005
【図５】
0004540190.tif 000006
【図６】
0004540190.tif 000007
【図７】
0004540190.tif 000008
【図８】
0004540190.tif 000009
【図９】
0004540190.tif 000010
【図１０】
0004540190.tif 000011
【図１１】
0004540190.tif 000012
【図１２】
0004540190.tif 000013
【図１３】
0004540190.tif 000014
【図１４】
0004540190.tif 000015
【図１５】
0004540190.tif 000016
【図１６】
0004540190.tif 000017
【図１７】
0004540190.tif 000018